(57)【要約】【課題】掃除機用のノズルにおいて、毛束や刷毛を用いずに箒の機能を実現し、効率的に吸引動作と箒の動作を実現する。【解決手段】静電処理を施した複数のプラスチックチューブ３と、チューブ３間を接着する伸縮性高分子樹脂５と、接着したチューブ３に通し先端を先頭のチューブ３に固定する鋼鉄性ワイヤ４とで各チューブ列２を形成する。これら複数のチューブ列２をノズル本体１に備え、チューブ列２に箒のしなやかさを実現させる。【選択図】      図１
2004188027.tif 000002
【特許請求の範囲】
【請求項１】
静電処理を施した複数のプラスチックチューブと，前記複数のプラスチックチューブ間を接着するための伸縮性を持った高分子樹脂と，接着された前記複数のプラスチックチューブに通され且つ先端を前記複数のプラスチックチューブの先頭のプラスチックチューブに固定されたワイヤとで形成される複数のチューブ列をノズル本体に有することを特徴とする掃除機ノズル。
【請求項２】
前記高分子樹脂は、薄膜高分子樹脂を用いたことを特徴とする請求項１記載の掃除機ノズル。
【請求項３】
前記ワイヤは、前記複数のプラスチックチューブの補強および前記チューブ列の復元力を実現する鋼鉄性ワイヤを用いたことを特徴とする請求項１記載の掃除機ノズル。
【請求項４】
前記プラスチックチューブは、樹脂に界面活性剤を混入して静電処理を施し、円筒状に形成することを特徴とする請求項１記載の掃除機ノズル。
【請求項５】
前記ワイヤは、先端をＵ字状に形成し、そのＵ字状の部分を最先端のチューブの外側に固定することを特徴とする請求項１記載の掃除機ノズル。
【請求項６】
前記複数のチューブ列は、プラスチックチューブの径を固定部側から先端に行くにしたがって小さくしたことを特徴とする請求項１記載の掃除機ノズル。
【発明の詳細な説明】
【０００１】
【発明の属する技術分野】
本発明は掃除機用器具に関し、特にクリーニングルームなどの塵芥の清掃に適した掃除機のノズルに関する。
【０００２】
【従来の技術】
従来の掃除機は、狭い空間や込入った個所の清掃を実現するために、各種のアタッチメント部品が用いられている。例えば、クリーニングルームなどにおいて、配線作業を行うとき、比較的大きな塵芥としての配線屑と、極めて小さい塵芥とを選分けて清掃する必要がある。すなわち、箒の機能と吸込の機能を必要としている。
【０００３】
図３はかかる従来の一例を示す掃除機ノズルの斜視図である〔特許文献１参照〕。図３に示すように、この掃除機ノズルの吸込口本体１０は、掃除機本体に円筒部１１を介して結合され、その円筒部１１の反対側は幅広くなるとともに、開口部１２を形成されている。その開口部１２には、吸込口取付板１３が設けられ、複数の可撓性を有する吸込管１４を装着している。この吸込管１４は、それぞれ先端に吸込口１７を設けるとともに、先端側に複数のリブ１８を形成している。これらのリブ１８は、リブ間の任意の個所に毛束１６を備えた植毛リング１５をアタッチメント式に取り付けるために設けられており、毛束１６が箒の役目を果している。
【０００４】
図４は従来の他の例を示す掃除機ノズルの斜視図である。図４に示すように、この掃除機ノズルを形成する掃除具基体２０は、一端には吸入パイプ２７に接続する塵芥排出口２６を形成し、他端には刷毛２１を植設するとともに、中間の平坦部には複数の塵芥吸引孔２２を形成している。また、付加部品として掃除用生地２３を取付け、刷毛２１に代る箒の機能を実現するようにしている。この掃除用生地２３は、掃除具基体２０の塵芥吸引孔２２に合致する塵芥導入孔２４を形成し、両端近傍に設けた接続テープ２５により掃除具基体２０に固定する構造である。
【０００５】
【特許文献１】
特開平７−２３８８３号公報（第２頁〜３頁、図１）
【特許文献２】
特開平９−７５２７０号公報（第２頁〜３頁、図１）
【０００６】
【発明が解決しようとする課題】
上述した従来の掃除機ノズルは、吸引の機能と箒の機能を合わせ持ち、しかも箒の手段としては、毛束，刷毛や布生地を用いている。
【０００７】
この特許文献１に記載の技術においては、細い吸引管に毛束を設け、取外し可能な構造であり、また特許文献２においては、刷毛を設けたものである。しかし、毛は発塵性がある上、一旦清掃等を行うと、毛の内部にゴミが残留し、なかなか取れず、クリーンルーム用の清掃具としては不適であるという欠点がある。
【０００８】
また、特許文献１に記載のように、毛束を外して、清掃を行ったとしても、吸込管や吸込口の樹脂部のみでは効率よく塵芥を掃き出す事ができないという問題がある。
【０００９】
すなわち、特許文献１のように、掃き出し部分を樹脂だけにすると、掃き出す時、樹脂が柔らかい場合はチューブがつぶれ、逆に硬い場合はうまくしならない。要するに、可撓性があっても、しなやかさが無いため、塵芥を確実に且つ効率よく掃き出させる事ができない。また、特許文献２のように、毛が付いていては、毛からの発塵、塵芥の残留性、共にクリーンルーム用としては適さない。
【００１０】
本発明の目的は、上述した問題を解決することにあり、塵芥の発生源となる毛束や刷毛を用いずに箒の機能を実現し、確実且つ効率的に吸引機能と箒の機能を実現することのできる掃除機ノズルを提供するものである。
【００１１】
【課題を解決するための手段】
本発明の掃除機ノズルは、静電処理を施した複数のプラスチックチューブと，前記複数のプラスチックチューブ間を接着するための伸縮性を持った高分子樹脂と，接着された前記複数のプラスチックチューブに通され且つ先端を前記複数のプラスチックチューブの先頭のプラスチックチューブに固定されたワイヤとで形成される複数のチューブ列をノズル本体に有して構成される。
【００１２】
【発明の実施の形態】
次に、本発明の実施の形態について、図面を参照して説明する。
【００１３】
図１（ａ）〜（ｃ）はそれぞれ本発明の一実施の形態を示す掃除機ノズルおよびその構成部品を表わす斜視図である。図１（ａ）に示すように、本実施の形態における掃除機ノズル本体１は、太い円筒部と細い円筒部からなり、どちらも内部が空洞になるとともに、太い円筒部の端部には複数のチューブ列２を収容している。各チューブ列２は、短かいチューブを複数個接続し、後述するワイヤを軸方向に配置している。
【００１４】
この掃除機ノズル本体１は、一端が細い円筒形状をなし、掃除機本体に接続できるようにし、他端は大きな円筒部を形成するとともに、その円筒部の開口には複数のチューブ列２を結合する取付板を備えている。このため、開口部のチューブ列２が接続されない個所は、上述した取付板で覆われるため、塵芥の吸引はチューブ列２の結合部とは反対の先端のみから行うことになる。
【００１５】
また、図１（ｂ）に示すように、上述したチューブ列２のそれぞれは、内径約７ｍｍの静電処理を施した厚さが０．５〜１mm程度の円筒状プラスチックを１ｃｍ程度に切って形成したチューブ３を４〜５個、１本の鋼鉄性ワイヤ４に通し、チューブ３間を伸縮性のあるゴムなどの薄膜高分子樹脂５を使用して接着する。このチューブ３を形成する静電処理を施した円筒状プラスチックは、樹脂に粉石鹸などの界面活性剤を混入したものを用いる。また、チューブ列２の先端のチューブ３は、吸塵口６となるとともに、内側でワイヤ４の一端を固定する。
【００１６】
このように形成されたチューブ列２は、チューブ３と伸縮性薄膜高分子樹脂５により、しなやかさを実現する一方、鋼鉄性ワイヤ４により補強と復元力を持たせることにより、箒の機能を実現している。
【００１７】
次に、図１（ｃ）に示すように、チューブ列２の最先端のチューブ３は、鋼鉄性ワイヤ４のＬ字に曲げた先端部を固定するために、内側に穴状の先端固定部７を形成している。また、この先端固定部７は、チューブ列２をしならせたても、鋼鉄性ワイヤ４が外れにくくするために、穴形状ではなく、鋼鉄性ワイヤ４の先端をＵ字状に形成し、そのＵ字状の部分を最先端のチューブ３の外側に固定する構造にしても良い。
【００１８】
図２（ａ），（ｂ）はそれぞれ図１に示す掃除機ノズルの使用状態を表わす図である。まず、図２（ａ）に示すように、配線８等がたくさんある場所を清掃する時は、このノズル本体１を取付け、少しノズルを押えてしならせながら、掃くようにノズル先を動かす事で配線８の中に溜まった塵芥９をかき出し、ノズル本体１のチューブ３の先端より吸塵する事ができる。
【００１９】
一方、図２（ｂ）に示すように、配線屑などの大きな塵芥がないときには、少しノズル本体１を押えてしならせながら、掃くだけで塵芥９を清掃することができる。
【００２０】
上述した一実施の形態では、チューブ列２を構成する各チューブ３の大きさが同じものを用いたが、チューブ列２のしなりをより簡単にするために、固定部側から先端に行くにしたがってチューブ３の径を小さくしても良い。その場合には、ワイヤを鋼鉄性のものからより硬度のやわらかいものに変更したり、ワイヤの径を小さくすることにより、実現することができる。
【００２１】
【発明の効果】
以上説明したように、本発明の掃除機ノズルは、ノズル本体に複数のチューブ列を収容し、各チューブ列は複数の静電処理を施した短かいプラスチックチューブをワイヤに通しそれぞれのチューブ間を伸縮性のある高分子樹脂で接着することにより、静電気の発生を抑えるとともに、発塵性や塵芥の残留性がなく、塵芥を効率的に掃き出し、吸塵する事ができるという効果がある。
【図面の簡単な説明】
【図１】本発明の一実施の形態を示す掃除機ノズルおよびその構成部品を表わす斜視図である。
【図２】図１に示す掃除機ノズルの使用状態を表わす図である。
【図３】従来の一例を示す掃除機ノズルの斜視図である。
【図４】従来の他の例を示す掃除機ノズルの斜視図である。
【符号の説明】
１    ノズル本体
２    チューブ列
３    チューブ
４    ワイヤ
５    伸縮性高分子樹脂
６    吸塵口
７    先端固定部
８    配線
９    塵芥
【図１】
2004188027.tif 000003
【図２】
2004188027.tif 000004
【図３】
2004188027.tif 000005
【図４】
2004188027.tif 000006